(57)【要約】【課題】  本発明は、コンパクトな水中での使用と耐圧の機能を有するカメラ本体を水中で使用する場合、耐衝撃性を向上し、例え水中でカメラ本体が手元から離れても水底への脱落を防止でき、紛失を無くし、しかもカメラ本体の使用中でも手元、身体にまとわりつかない機能を確保するカメラジャケットを提供するものである。【解決手段】  本発明は、カメラ本体の全部或いは一部を覆うジャケット自体に耐衝撃性の高い素材を採用し、この素材でなるジャケットに浮き部を一部或いは略全体に渡って形成し、しかもこの浮き部を把持部であるグリップの個所に形成することで把持が確実になり、しかも手元から脱落しても水面に浮き上がり水底に没せず、カメラ本体を紛失することが無い。特にジャケットに浮き部を形成してなるものである。【選択図】図４
2009025513.tif 000002
【特許請求の範囲】
【請求項１】
カメラ本体を着脱でき該カメラ本体の外側の一部を開放して覆い、一部に閉塞空間を形成したことを特徴としたカメラジャケット。
【請求項２】
カメラ本体を着脱でき該カメラ本体を透明に覆い、一部に閉塞空間を形成したことを特徴としたカメラジャケット。
【請求項３】
カメラ本体を着脱でき該カメラ本体の外側の一部を開放して覆い、略全域に閉塞空間を形成したことを特徴としたカメラジャケット。
【請求項４】
カメラ本体を着脱でき該カメラ本体を透明に覆い、略全域に閉塞空間を形成したことを特徴としたカメラジャケット。
【発明の詳細な説明】
【技術分野】
【０００１】
本発明は、主に水中用に用いるカメラの外側を覆うカメラジャケットに関するものである。
【背景技術】
【０００２】
従来、耐圧、耐水性の機能を有し、水中で扱うコンパクトなデジタルカメラは多くは存在しなかったが、最近、この種のデジタルカメラはダイバー或いは一般の水中撮影に多く販売され利用もされてきている。このデジタルカメラを水中で用いる場合、十分にカメラ本体を把持できる構造が考えられるが、しばしば水中で手元から脱落して水底に落とし拾い上げられなかったり、水中で紛失することもしばしば生じている。そこで、カメラ本体をカバーするジャケットを用いて、これに紐を付けて手首に巻くことも考えられる。
【０００３】
特許文献１では、カメラジャケットを採用した図５の例であるが、これは横長形状のカメラ１４を収納した状態から迅速に取り出すことができるカメラジャケット１２がある。この場合のカメラジャケット１２はカメラ１４自体を落としたり、ぶつけたりしたりしてカメラ１４自体が傷になったり或いはレンズ部分その他の機能が損傷するのを防止するものである。
【０００４】
従って、カメラ１４自体が防水で耐水圧機能を有したコンパクトなカメラであることを想定していない。詰まり図５のカメラ１４は水中で用いられるカメラの場合、カメラジャケット１２は水中でカメラ１４とともに使用されることを考慮していないものである。
【特許文献１】特開２００４−２３３５０３号公報      （図５）
【発明の開示】
【発明が解決しようとする課題】
【０００５】
本発明が解決しようとする問題点は、コンパクトな水中での使用と耐圧の機能を有するカメラ本体を水中で使用する場合、耐衝撃性を向上し、例え水中でカメラ本体が手元から離れても水底への脱落を防止でき、紛失を無くし、しかもカメラ本体の使用中でも手元、身体にまとわりつかない機能を確保するカメラジャケットにある点である。
【課題を解決するための手段】
【０００６】
本発明のカメラジャケットはカメラ本体の全部或いは一部を覆うジャケット自体に耐衝撃性の高い素材を採用し、この素材でなるジャケットに浮き部を一部或いは略全体に渡って形成し、しかもこの浮き部を把持部であるグリップの個所に形成することで把持が確実になり、しかも手元から脱落しても水面に浮き上がり水底に没せず、カメラ本体を紛失することが無い。特にジャケットに浮き部を形成していることが最大の特徴になっている。
【発明の効果】
【０００７】
請求項１記載の発明によれば、カメラ本体の一部を開放することでジャケットの素材量を少なくでき、しかも一部に閉鎖空間を形成して浮き部とすることで、浮き機能が働き、水中でカメラ本体を手元から離しても水面に浮上するので紛失することがなく、しかも、ぶつけてもカメラ本体のボデーに傷がつかないカメラジャケットが提供できる。
【０００８】
請求項２記載の発明によれば、カメラ本体を透明に覆い、一部に浮き部の閉鎖空間を形成したのでカメラ本体はジャケットを通して撮影ができ、しかも全体を覆うから一層、何らかの衝撃を直接カメラ本体に及ぼさないようになるカメラジャケットが提供できる。
【０００９】
請求項３記載の発明によれば、カメラ本体を着脱でき該カメラ本体の外側の一部を開放して覆い、略全域に浮き部の閉鎖空間を形成することで、カメラ本体のジャケットとしての一層の浮力を得られ、カメラ本体に装着していれば手元から外れても水底に落下することなく確実に水面に浮上できるから紛失などの恐れがなくなるカメラジャケットが提供できる。
【００１０】
請求項４記載の発明によれば、カメラ本体を着脱でき該カメラ本体を透明に覆い、略全域に浮き部の閉塞空間を形成したので、カメラ本体全体が衝撃にたいして保護でき、しかも全域に浮き部の閉塞空間を形成するので十分な浮力を確保し、カメラ本体が手元から外れても水底に没することがないカメラジャケットが提供できる。
【発明を実施するための最良の形態】
【００１１】
本発明は、防水耐圧機能を持つカメラ本体（例えばデジタルカメラ）を水中で使用する場合、水中故に取扱いの動作が緩慢になり、また不自由を強いられあちこちにぶつけたり、手元から落下したりするのでカメラ本体のボデーに傷をつけないように、又水中での水底への落下防止、紛失など無いカメラ本体のジャケットを提供するという目的を、カメラ本体から着脱でき該カメラ本体の外側の一部を開放或いは全部を覆い、このカメラジャケットに略全域或いは一部に浮き部となる閉塞空間を形成して浮力機能を形成した構成により実現した。
【００１２】
以下に、本発明の実施例に係るカメラジャケットについて図１乃至図４を参照して詳細に説明する。
【００１３】
本実施例に係るカメラジャケットは図１のコンパクトな防水耐圧機能をもつカメラ本体１に図２及び図３のジャケット２を図４に示すように覆った使用状態になる。カメラ本体１は従来のものでレンズ部３とフラッシュ等の発光部４とからなり、その他の操作ボタン機能などからなるものである。
【００１４】
前記のジャケット２は前記カメラ本体１の外周を覆う一部口開した構造からなり、合成樹脂製のシリコンゴム或いはエラストマーを素材としている。これによってこのジャケット２は弾力性を全体的に有することになる。
【００１５】
図３は図２のＡ−Ａ線断面略図でジャケット２の左側に一体的に把持部５を形成したもので、この把持部５の内部は閉鎖空間を形成してあって、これに気体が充填され浮き部７を構成している。
【００１６】
図２の６はファスナーで、このファスナー６はジャケット２の四隅の一箇所を通って形成されていて、収納したカメラ本体１をカバーする場合或いは取り出す場合にスムーズにできるようにしたものである。
【００１７】
次に、カメラ本体１をジャケット２でカバーする場合を図４で説明する。図４はカメラ本体１の収納状態を表し、この状態から、前記ファスナー６を矢印Ｂ方向に引き上げ開放する。
【００１８】
これによって、比較的カメラ本体１に密着してカメラ本体１を収納していたジャケット２は緩んで内部のカメラ本体１を取り出しやすい状態になる。ジャケット２にカメラ本体１を収納する場合は前記と逆の操作で収納できる。
【００１９】
次にカメラ本体１を水中で使用する場合、予めカメラ本体１にジャケット２を被せ、把持部５を手で握って水中で撮影を行う。この場合把持部５内部には気体が充填されていて浮き部７が構成されているから浮力が常時働き、仮に手元からカメラ本体１を離してしまったとしても、その浮力で水中に没することは無く、また水面に浮き上がり紛失することがないものである。
【００２０】
勿論この場合、ジャケット２の閉鎖空間への気体充填は水中でカメラ本体を手放した場合にこれが浮上するように予め調整されているものであり、また、把持部５に気体が充填されているため、把持部５の握りに適度な弾力が生じ確実に把持部を握ることができるので、返ってカメラ本体１を手元から脱落することが少なくなる。
尚実施例ではカメラのジャケットの一部を開口状態のものについて説明したが、カメラ１を全体的に覆う構造でもよく、また閉鎖空間の浮き部７は把持部５以外にジャケット２の全域に形成しても良いこと勿論であり実施例と同様な効果を発揮できる。
【産業上の利用可能性】
【００２１】
本発明のカメラジャケットは最近の耐水耐圧機能で水中以外に使用するカメラを水中で用いる場合に有効で、特に浮力のついたジャケットの装着で紛失等することがなくなる。
【図面の簡単な説明】
【００２２】
【図１】本発明の実施例を説明するためのカメラ本体の概略斜視図である。
【図２】本実施例に係るジャケットの概略斜視図である。
【図３】本実施例に係る図１のＡ−Ａ線断面図である。
【図４】本実施例に係わる図２のジャケットを図１のカメラ本体に被せた状態の斜視図である。
【図５】従来のカメラジャケットの斜視図である。
【符号の説明】
【００２３】
１    カメラ本体
２    ジャケット
３    レンズ部
４    発光部
５    把持部
６    ファスナー
７    浮き部
【図１】
2009025513.tif 000003
【図２】
2009025513.tif 000004
【図３】
2009025513.tif 000005
【図４】
2009025513.tif 000006
【図５】
2009025513.tif 000007